(57)【特許請求の範囲】
【請求項１】
特徴のある柄を有する化粧柄が６００〜１,５００ｍｍで繰り返し連続的に印刷された、化粧柄が互いに異なる長尺の印刷化粧シートを２種類用意し、
前記各印刷化粧シートを、各木質基板の表面にそれぞれ貼着した後、前記印刷化粧シートが積層一体化された前記木質基板をそれぞれ幅方向に切断し、実加工を施すことにより、特徴のある柄を有するフローリング材と、特徴のある柄を有しないフローリング材とを含む組を２組形成し、
前記各組からフローリング材をそれぞれ取り出して１つのフローリングセットとして梱包することを特徴とするフローリングセットの梱包方法であって、
前記化粧柄は木目であって、前記特徴のある柄は、前記化粧柄ごとに互いに異なる天然木の特有柄であり、
前記木質基板は、３尺×６尺サイズであり、また、１つの組を構成する前記フローリング材は、前記印刷化粧シートが貼着された前記木質基板を幅方向に三等分割した１尺×６尺サイズであり、
前記各組からフローリング材を１枚ずつ交互に取り出し、特徴のある柄を有するフローリング材と、特徴のある柄を有しないフローリング材とが組み合わされた６枚のフローリング材を積み重ねて１つのフローリングセットとして梱包することを特徴とするフローリングセットの梱包方法。
【発明の詳細な説明】
【技術分野】
【０００１】
本発明は、住宅等の建築物における床材として用いられる、表面に化粧シートが取り付けられたフローリングセットの梱包方法に関する。
【背景技術】
【０００２】
従来から、図６（ａ）に示すように、例えば、３尺×６尺サイズで厚さが１１．７ｍｍの合板やＭＤＦ等からなる木質基板１の表面に、化粧柄が連続して印刷されてロール状に巻回された化粧シート２を貼り付け、然る後、これを幅方向に三等分割し、木口端面に実（さね）加工することによって構成された、長さ６尺×幅１尺×厚さ１２ｍｍであって幅方向に３枚ワンセットの化粧柄を有するフローリング材４が最も一般的に知られており、このフローリング材４を単位枚数分（通常は６枚のフローリング材＝１坪単位）梱包してフローリングセット５が構成される。
【０００３】
ところで、フローリング材４の化粧シート２の化粧柄は、予めデザインされた木目柄をグラビア輪転印刷技術等で繰り返し連続的に印刷することによって構成されており、例えば、市場一般に流通しているシート印刷柄は、印刷設備の合理性等の理由で６００〜１５００ｍｍ単位長さで連続的に印刷されている（つまり、上述した化粧シート２の表面には、印刷柄が６００〜１５００ｍｍごとに繰り返し表れることになる。）。
【０００４】
特に木目がデザインされた化粧柄の場合、天然の材木の木目により似せるために、節、色、ヤニ、あるいは照り等といった「特徴のある柄Ｘ」を適宜配置したり、あるいはその他の手段（たとえば、特許文献１）を用いるといった、意匠性を向上させる工夫がなされており、このような「特徴のある柄Ｘ」を化粧柄に取り入れた場合、上述のような６尺長さのフローリング材４であれば、その表面に１〜２箇所の「特徴のある柄Ｘ」が現れることになる。
【０００５】
このため、単位枚数分（例えば６枚）のフローリング材４を梱包して構成されたフローリングセット５には、同じ「特徴のある柄Ｘ」が描かれたフローリング材４が複数枚（上述の１坪梱包＝６枚のフローリング材４であれば２枚）収容されることになる。
【０００６】
このようなフローリングセット５を内装工事現場で複数セット用いてそのまま床面施工すると、規則的に繰り返して現れる（３枚ごとに１〜２箇所）「特徴のある柄Ｘ」が他のおとなしい部分に対して目立ってしまい、床面全体として不自然な印象を与えることになる問題が生じていた（図６（ｂ）参照）。
【先行技術文献】
【特許文献】
【０００７】
【特許文献１】特開２００１−１３０２００号公報
【発明の概要】
【発明が解決しようとする課題】
【０００８】
本発明は、このような従来技術の問題点に鑑みて開発されたものであり、本発明の主たる課題は、施工現場でフローリングセットの梱包を解いてフローリング材を順番に床面に配設したとき、化粧シートに印刷された「同一の特徴のある柄」が床面に規則正しく表れる頻度を下げるとともに、「特徴のある柄」同士を適度に離間させて配置することにより、床面に表れる化粧柄の見た目をより自然にすることのできるフローリングセットの梱包方法を提供することにある。
【課題を解決するための手段】
【０００９】
請求項１に記載した発明は、
「特徴のある柄２９を有する化粧柄２８が６００〜１,５００ｍｍで繰り返し連続的に印刷された、化粧柄２８Ａ、２８Ｂが互いに異なる長尺の印刷化粧シート１４Ａ、１４Ｂを２種類用意し、
各印刷化粧シート１４を、各木質基板１２の表面にそれぞれ貼着した後、印刷化粧シート１４が積層一体化された木質基板１２をそれぞれ幅方向に切断し、実加工を施すことにより、特徴のある柄２９を有するフローリング材１０Ａ１、１０Ｂ１と、特徴のある柄２９を有しないフローリング材１０Ａ２、１０Ａ３、１０Ｂ２、１０Ｂ３とを含む組３０Ａ、３０Ｂを２組形成し、
前記各組３０Ａ、３０Ｂからフローリング材１０Ａ１、１０Ａ２、１０Ａ３、１０Ｂ１、１０Ｂ２、１０Ｂ３をそれぞれ取り出して１つのフローリングセット３２として梱包することを特徴とするフローリングセット３２の梱包方法であって、
前記化粧柄２８は木目であって、前記特徴のある柄２９は、前記化粧柄２８ごとに互いに異なる天然木の特有柄であり、
前記木質基板１２は、３尺×６尺サイズであり、また、１つの組３０を構成する前記フローリング材１０は、前記印刷化粧シート１４が貼着された前記木質基板１２を幅方向に三等分割した１尺×６尺サイズであり、
前記各組３０Ａ、３０Ｂからフローリング材１０Ａ１、１０Ａ２、１０Ａ３、１０Ｂ１、１０Ｂ２、１０Ｂ３を１枚ずつ交互に取り出し、特徴のある柄２９を有するフローリング材１０Ａ１、１０Ｂ１と、特徴のある柄２９を有しないフローリング材１０Ａ２、１０Ａ３、１０Ｂ２、１０Ｂ３とが組み合わされた６枚のフローリング材１０Ａ１、１０Ａ２、１０Ａ３、１０Ｂ１、１０Ｂ２、１０Ｂ３を積み重ねて１つのフローリングセット３２として梱包する」ことを特徴とする。
【００１０】
この発明によれば、化粧柄２８が互いに異なり、特徴のある柄２９を有するフローリング材１０Ａ１、１０Ｂ１と、特徴のある柄２９を有しないフローリング材１０Ａ２、１０Ａ３、１０Ｂ２、１０Ｂ３とで構成された２つの組３０Ａ、３０Ｂから、それぞれ「特徴のある柄２９Ａ、２９Ｂを有するフローリング材１０Ａ１、１０Ｂ１」と「特徴のある柄２９を有しないフローリング材１０Ａ２、１０Ａ３、１０Ｂ２、１０Ｂ３」を１枚ずつ交互に取り出し、特徴のある柄２９を有するフローリング材１０Ａ１、１０Ｂ１と、特徴のある柄２９を有しないフローリング材１０Ａ２、１０Ａ３、１０Ｂ２、１０Ｂ３とが組み合わされた６枚のフローリング材１０Ａ１、１０Ａ２、１０Ａ３、１０Ｂ１、１０Ｂ２、１０Ｂ３を積み重ねて１つのフローリングセット３２として梱包しているので、床面の施工現場でこの梱包を解いて当該フローリング材１０を順に床面に配設したとき、同じ化粧柄２８のフローリング材１０が１つのフローリングセット３２から繰り返して配設される頻度が低下するので、「特徴のある柄２９」が自然な状態で配置されることになる。これにより、「特徴のある柄２９」を用いたときの不自然さが低減される。
また、１セットのフローリングセット３２は６枚のフローリング材１０で構成されており、１枚の木質基板１２からは３枚のフローリング材１０が切り出されることになる。つまり、１セットのフローリングセット３２は、化粧柄２８Ａ、２８Ｂが互いに異なる２種類の印刷化粧シート１４Ａ、１４Ｂが貼着された２枚の木質基板１２で構成できることになり、同じ化粧柄２８のフローリング材１０が１つのフローリングセット３２に梱包されることがなくなる。これにより、床面の施工現場で、１つのフローリングセット３２から同じ化粧柄２８のフローリング材１０が繰り返して配設される頻度が極めて低くなるので、「特徴のある柄２９」がより自然な状態で配置されることになる。
【００１１】
削除
【００１２】
削除
【００１３】
削除
【００１４】
この発明において、「天然木の特有柄」とは、節、ヤニスジ、ヤニツボ、入り皮、濃色部分等であり、このような特有柄を有する木目の化粧柄２８を使用することにより、より自然に近い柄の床面を構成することが出来るようになる。
【００１５】
削除
【００１６】
削除
【発明の効果】
【００１７】
本発明のフローリングセットの梱包方法によれば、施工現場で張り合わせた時に、「同一の特徴のある柄」が床面に表れる頻度が低下するとともに、これら「特徴のある柄」同士が連続して配設される可能性が低くなって互いに適度に離間して配置される。これにより、床面等に表された化粧柄の見た目をより自然にすることができた。
【図面の簡単な説明】
【００１８】
【図１】フローリング材を示す断面斜視図である。
【図２】フローリング材の他の実施例を示す断面図である。
【図３】化粧柄の例を示す図である。
【図４】フローリングセットの製造・梱包手順を示す図である。
【図５】本発明によるフローリングセットを用いて施工した床面の化粧柄を示す図である。
【図６】従来技術を示す図である。
【発明を実施するための形態】
【００１９】
以下、本発明の実施態様について図面を用いて説明する。なお、本明細書では、各符号に関し、各構成要素を上位概念で示す場合にはアルファベット（およびアラビア数字）の枝番をつけずアラビア数字のみで示し、各構成要素を区別する必要がある場合（すなわち下位概念で示す場合）にはアルファベットの枝番をアラビア数字に付して区別する。
【００２０】
最初に、フローリング材１０について図１を用いて説明すると、フローリング材１０は、大略、木質基板１２と、印刷化粧シート１４と、クリア樹脂層１６とで構成されている。
【００２１】
木質基板１２は、合板、ＬＶＬ、ＭＤＦ、集成材、パーティクルボード、ストランドボード、単板等の木質材料からなる短冊状の板材であり、その幅方向一方端面および長手方向一方端面には、矩形状断面を有する雄実部２０が突設されており、また、幅方向他方端面および長手方向他方端面には、別のフローリング材に形成された雄実部２０が嵌め込まれる雌実部２２が凹設されている。なお、雄実部２０および雌実部２２の形状は、これに限られるものではなく、図２（ａ）に示すように、雄実部２０の下面側に切除幅の大きい嵌合空間部２４を形成し、雌実部２２の下部に当該嵌合空間部２４に係合する幅広の突出部２６を形成してもよいし、図２（ｂ）に示すように、木質基板１２における幅方向一方端面の上半部側に雄実部２０を形成し、幅方向他方端面にはその下半部側に雄実部２０を突設するようにしてもよい。いわゆる、本実加工、あいじゃくり実加工、やとい実加工等の実加工形状は上記実施例に限られるものではないが、本発明の効果は、施工時の雄実あるいは雌実が予め決められている（すなわち、フローリング材１０同士が互いに隣接する）本実加工やあいじゃくり実加工等において特に有効である。
【００２２】
印刷化粧シート１４は、図３に示すように、化粧柄２８としてケヤキの木目模様がその表面に印刷された、例えば秤量２５g/m2程度の薄葉紙であり（もちろん、印刷化粧シート１４の材質はこれに限られるものではなく、晒クラフト紙、チタン紙、リンター紙、板紙、石膏ボード紙等の紙、ポリエチレンフィルム、ポリプロピレンフィルム、ポリ塩化ビニルフィルム、ポリ塩化ビニリデンフィルム、ポリビニルアルコールフィルム、ポリエチレンテレフタレートフィルム、ポリカーボネートフィルム、ナイロンフィルム、ポリスチレンフィルム、エチレン−酢酸ビニル共重合体フィルム、エチレン−ビニルアルコール共重合体フィルム等のプラスチックフィルム、あるいは、鉄、アルミニウム、銅等の金属箔を用いることができる。また、秤量もこの限りではない。）、木質基板１２の表面に例えば樹脂系接着剤を用いて貼着されている。また、印刷化粧シート１４の表面に印刷される化粧柄２８としては、上述したケヤキに代表される木目模様に限られることはなく、他品種の樹木の木目模様であってもよい。
【００２３】
化粧柄２８には、例えば木目模様であれば、節、ヤニスジ、ヤニツボ、入り皮、濃色部分等といった「特徴のある柄２９」が適宜配置されている（図示実施例では、この内、「特徴のある柄２９」として「節」が描かれている場合を示している。）。
【００２４】
クリア樹脂層１６（図１）は、フローリング材１０表面の耐傷性、耐摩耗性、耐水性、耐汚染性等の表面保護性能を向上させるため、当該表面にアクリル樹脂系、ウレタン樹脂系、アミノ樹脂系、ポリエステル樹脂系等の透明合成樹脂塗料を塗布して形成されている。クリア樹脂層１６は、床面に配設される前段階の個々のフローリング材１０の表面に塗布してもよいし、クリア樹脂層１６形成前に複数のフローリング材１０を床面に配設し、全てのフローリング材１０を配設し終わってから、床面全体に上記クリア樹脂層１６を形成してもよい。
【００２５】
また、化粧柄２８の表面に予めクリア樹脂層１６が一体に形成された印刷化粧シート１４を使用してもよい。印刷化粧シート１４の表面に予めクリア樹脂層１６を設ける場合は、アクリル系樹脂、ポリエチレンテレフタレート系樹脂、オレフィン系樹脂等の透明樹脂シートを接着剤で積層一体化してもよいし、加熱一体化してもよい（もちろん、塗装により設けてもよい）。
【００２６】
次に、このフローリング材１０を製造するとともに、単位枚数のフローリング材１０をまとめてフローリングセット３０を構成する「フローリングセットの梱包方法」について説明する。
【００２７】
最初に、図４に示すように、「特徴のある柄２９」を有する、予め規定した寸法の化粧柄２８を２種類用意し、これら２種類の化粧柄２８Ａ、２８Ｂを、それぞれロールされた長尺のシートに対して繰り返し連続的に印刷してロールされた印刷化粧シート１４Ａ（化粧柄Ａが印刷されたもの）およびロールされた印刷化粧シート１４Ｂ（化粧柄Ｂが印刷されたもの）を形成する。
【００２８】
また、これらとは別に、印刷化粧シート１４の幅とほぼ同じ寸法か、やや狭い幅を有する木質基板１２を２枚用意する。
【００２９】
次に、図示しないが、ロール状に巻回された印刷化粧シート１４Ａ、１４Ｂを引き出しながら当該印刷化粧シート１４Ａ、１４Ｂの裏面に樹脂系接着剤をナイフコーターやロールコーター等の接着剤塗布設備で塗布し、これら印刷化粧シート１４Ａ、１４Ｂを木質基板１２に貼着した後、一定時間圧締養生を行って、木質基板１２上に化粧シート１４Ａ、１４Ｂを積層一体化する。
【００３０】
然る後、木質基板１２を幅方向に切断して三等分割し（なお、本実施例では、フローリング材の長さが化粧柄２８の長さの１．５倍に設定されている。）、図示しないが、切り出した木質基板１２の側面に雄実部２０および雌実部２２を形成する。
【００３１】
このとき、上述したように、「特徴のある柄２９Ａ、２９Ｂ」は、それぞれの化粧柄２８Ａ、２８Ｂ中に１カ所ないし数カ所描かれているだけであるから、印刷化粧シート１４を貼着した木質基板１２を切断して３枚のフローリング材１０を形成したとき、それらフローリング材１０の表面に貼着された印刷化粧シート１４には、「特徴のある柄２９Ａ、２９Ｂ」が存在するもの１０Ａ１、１０Ｂ１と、存在しないもの１０Ａ２、１０Ａ３、１０Ｂ２、１０Ｂ３とが当然生じることになる。
【００３２】
これにより、化粧柄２８が互いに異なり、ある特定の「特徴のある柄２９Ａ、２９Ｂ」を有するフローリング材１０Ａ１、１０Ｂ１と、そうでない（ある特定の「特徴のある柄２９Ａ、２９Ｂ」を有さない）フローリング材１０Ａ２、１０Ａ３、１０Ｂ２、１０Ｂ３とを含む組３０（本実施例の場合は２つの組３０Ａ、３０Ｂ）が構成される。
【００３３】
なお、本明細書では、「特徴のある柄を有するフローリング材」と、「そうでない（即ち、特徴のある柄を有しない）フローリング材」という表現を用いているが、ひとつの化粧柄２８には複数種類の「特徴のある柄」を配置することも当然可能であり、上記表現はあくまで、ある特定の「特徴のある柄２９」に着目した表現であってフローリング材１０に他の種類の「特徴のある柄」が描かれていないことを意味するものではない。つまり、「そうでない（即ち、特徴のある柄を有しない）フローリング材」にも「特徴のある柄２９」とは別種類の「特徴のある柄」が含まれている可能性がある。
【００３４】
また、この状態（個々のフローリング材１０がバラバラの状態）でフローリング材１０の表面にクリア樹脂層１６を形成してもよいし、全てのフローリング材１０を床面に配設し終わった後、床面全体にクリア樹脂層１６を形成してもよい。
【００３５】
然る後、各組３０Ａ、３０Ｂから「特徴のある柄２９Ａ、２９Ｂ」を有するフローリング材１０Ａ１、１０Ｂ１、またはそうでない（即ち、特徴のある柄を有しない）フローリング材１０Ａ２、１０Ａ３、１０Ｂ２、１０Ｂ３を単位枚数だけ取り出して梱包する（６枚のフローリング材１０＝１坪を単位枚数として）ことにより、フローリングセット３２が完成する。
【００３６】
各組３０Ａ、３０Ｂから取り出したフローリング材１０を積み重ねる順番はどのようなものであってもよいが、図示するように、各組３０Ａ、３０Ｂから交互に取り出す（つまり、同じ組３０Ａ、３０Ｂから取り出されたフローリング材１０が連続して積まれていない状態になる。）ことが好適である。
【００３７】
この実施例によれば、化粧柄２８Ａ、２８Ｂが互いに異なり、特徴のある柄２９Ａ、２９Ｂを有するフローリング材１０Ａ１、１０Ｂ１と、そうでない（即ち、特徴のある柄を有しない）フローリング材１０Ａ２、１０Ａ３、１０Ｂ２、１０Ｂ３とで構成された複数の組３０Ａ、３０Ｂから、それぞれ「特徴のある柄２９Ａ、２９Ｂを有するフローリング材１０Ａ１、１０Ｂ１」と「そうでない（即ち、特徴のある柄を有しない）フローリング材１０Ａ２、１０Ａ３、１０Ｂ２、１０Ｂ３」とを単位枚数だけ取り出して梱包しているので、図５に示すように、床面の施工現場でこの梱包を解いて当該フローリング材１０を順に床面に配設したとき、同じ化粧柄２８のフローリング材１０が少なくとも該梱包中では規則的に繰り返して配設されることがない。
【００３８】
したがって、各化粧柄２８Ａ、２８Ｂにおける同一の「特徴のある柄２９Ａ、２９Ｂ」が床面に表れる頻度が低下するとともに、これら同一の「特徴のある柄２９Ａ、２９Ｂ」が連続して配設される頻度が低下して互いに適度に離間して配置される。これにより、床面等に表された化粧柄２８の見た目をより自然にすることができる。
【００３９】
なお、本実施例では、３尺×６尺サイズの大判の木質基材１２を使用し、１尺×６尺サイズのフローリング材１０を形成した。
【符号の説明】
【００４０】
１０…フローリング材
１２…木質基板
１４…印刷化粧シート
１６…クリア樹脂層
２０…雄実部
２２…雌実部
２４…嵌合空間部
２６…突出部
２８…化粧柄
２９…特徴のある柄
３０…（フローリング材の）組
３２…フローリングセット
【図１】
0005623206.tif 000002
【図２】
0005623206.tif 000003
【図３】
0005623206.tif 000004
【図４】
0005623206.tif 000005
【図５】
0005623206.tif 000006
【図６】
0005623206.tif 000007